(57)【要約】視聴装置上のボタンの機能のインジケーションを、ボタンを実際に選択する前にユーザに提供する。ユーザは、ボタンを選択しようとしていること、およびその機能インジケータが視聴装置上に示されたことをユーザに知らせるハプティック／タクタイルフィードバックを受け取る。したがって、ハプティックフィードバックまたはタクタイルフィードバックを画面上の表示要素と組み合わせてリモートコントロール装置で使用して、焦点を視聴装置から外す必要をなくす。
2015501588.tif 000002
【特許請求の範囲】
【請求項１】
視聴体験を制御するシステムであって、
前記視聴体験に関連する機能を選択する少なくとも１つのボタンを有するリモートコントロール装置を備え、前記リモートコントロール装置は、前記ボタンが選択される前に前記ボタンの機能をユーザに示すために前記ユーザにフィードバックを提供する、前記システム。
【請求項２】
前記リモートコントロール装置は、前記ボタンに対するハプティックフィードバックを前記ユーザに提供する、請求項１に記載のシステム。
【請求項３】
前記リモートコントロールは、視聴装置上の前記ボタンに関連する機能インジケータのフィードバックを提供する、請求項１に記載のシステム。
【請求項４】
前記リモートコントロール装置は、前記ボタンが選択されたときに別のフィードバックを提供する、請求項１に記載のシステム。
【請求項５】
前記リモートコントロール装置は、前記ボタンがプログラムされていないときに視聴装置上の前記ボタンに対する多数の機能インジケータを提供する、請求項１に記載のシステム。
【請求項６】
視聴体験を制御する方法であって、
視聴装置と通信中であるリモートコントロール装置上のボタンと対話するステップであって、前記対話は、前記ボタンの選択の前に発生する、ステップと、
前記視聴装置上の前記ボタンに関連する機能を表示するステップと、
を含む、前記方法。
【請求項７】
前記ボタンと対話するとき、ユーザにハプティックフィードバックを提供するステップを更に含む、請求項６に記載の方法。
【請求項８】
前記ボタンが事前にプログラムされていないとき、機能インジケータのリストを前記視聴装置上に表示するステップを更に含む、請求項６に記載の方法。
【請求項９】
前記視聴装置上の機能インジケータのリストから選択するように前記リモートコントロール装置を用いて前記ボタンの前記機能をプログラムするステップを更に含む、請求項８に記載の方法。
【請求項１０】
前記リモートコントロール装置を用いて前記ボタンに関連する前記機能を選択するステップと、
前記機能が選択されたことを示すハプティックフィードバックを前記ユーザに提供するステップと、
を更に含む、請求項６に記載の方法。
【請求項１１】
広告の統計を収集するシステムであって、
視聴装置と通信中のリモートコントロール装置上のボタンと対話する手段であって、前記対話は前記ボタンの選択の前に発生する、手段と、
前記視聴装置上のボタンに関連する機能を表示する手段と、
を含む、前記システム。
【請求項１２】
前記リモートコントロール装置を用いて前記ボタンに関連する前記機能を選択する手段と、
前記機能が選択されたことを示すハプティックフィードバックをユーザに提供する手段と、
を含む、請求項１１に記載のシステム。
【発明の詳細な説明】
【背景技術】
【０００１】
現在のテレビジョンリモートコントロールは、ラベル付けされたボタンおよび／または画面表示の使用により、対応する制御機能をユーザに知らせる。これにはユーザがリモート装置に目を落とすことが必要である。他のリモートコントロールの設計は、異なるボタンの形状または「手触り（ｆｅｅｌ）」を組み込み、またはボタンの間隔を調整して、ユーザがリモート装置を見ずにボタンを区別することができるようにしている。この手法の欠点は、特にその機能があまり使用されないときでも、そのボタンの機能を覚えていなければならない場合があるという点である。
【発明の概要】
【課題を解決するための手段】
【０００２】
画面上の表示要素と組み合わせたハプティックフィードバックまたはタクタイルフィードバックをリモートコントロール装置で使用して、視聴装置から焦点を移動させる必要を解消する。ユーザに、視聴装置上のボタンの機能のインジケーションを、ボタンを実際に選択する前に提供する。ユーザは、ボタンを選択しようとしていること、およびその機能インジケータが視聴装置に示されていることを知らせるハプティック／タクタイルフィードバックを受け取る。このようにして、ユーザはリモートコントロール装置に目を落として視聴装置を制御する必要がなく、その目の焦点を視聴装置に合わせ続ける。
【０００３】
上記の説明は、本発明の実施形態のいくつかの態様の基本的な理解を与えることを目的として、本発明の簡易化した概要を提示するものである。この概要は、本発明の広範な全体像ではない。これは本実施形態の主要な／重要な要素を特定するため、または本主題の範囲を描写することを意図するものではない。その唯一の目的は、本発明の一部の概念を簡易化した形式で、後述するより詳細な説明の前置きとして提示することである。
【０００４】
上記のおよび関連する目的を達成するため、実施形態の特定の例示の態様を、本明細書で以下の説明と添付の図面との関連で説明する。しかし、これらの態様は、本発明の原理を使用することができる種々の方法のうちの少ししか示しておらず、本発明はそのような態様の全ておよびそれらの等価物を含むことを意図している。本発明の他の利点及び新規な特徴は、図面を併せて考慮すると以下の詳細な説明から明らかになり得る。
【図面の簡単な説明】
【０００５】
【図１】静電容量タッチボタンが組み込まれたリモートコントロール装置を用いた例示のリモートコントロールシステムを示す図である。
【図２】ユーザが「ホーム」ボタン用のボタン上のホバリング／タッチから「記録」ボタン上のホバリング／タッチに切り替えた例を示す図である。
【図３】プログラム可能ボタンを有するリモートコントロール装置の機能を選択する例を示す図である。
【図４】ボタン選択前のフィードバックを使用するリモートコントロール装置による視聴体験を制御する方法のフロー図である。
【発明を実施するための形態】
【０００６】
次に、本発明を、図面を参照して説明するが、ここで同様の参照符号は全体を通して同様の要素を参照している。以下の記述では、説明のため、本発明の十分な理解を与えるために多数の具体的な詳細が記載される。しかし、本発明の実施形態は、これらの具体的な詳細がなくても実施することができることは明らかである。他の例では、実施形態の記述を容易にするために、周知の構造および装置をブロック図で示す。
【０００７】
本願で使用するように、「コンポーネント」という用語は、ハードウェア、ソフトウェア、または実行中のハードウェアとソフトウェアとの組み合わせのことを言う。たとえば、コンポーネントは、プロセッサ上で実行されるプロセス、プロセッサ、オブジェクト、実行可能命令、および／またはマイクロチップ等とすることができる。例として、プロセッサ上で実行されるアプリケーション、およびそのプロセッサの両方がコンポーネントとなり得る。１または複数のコンポーネントは１つのプロセス内に常駐することができ、コンポーネントは１つのシステムに位置づけること、および／または２またはそれ以上のシステム間に分散することができる。図面に示した種々のコンポーネントの機能は、専用のハードウェアの使用、ならびに適当なソフトウェアに関するソフトウェアを実行可能なハードウェアの使用を通じて提供することができる。
【０００８】
プロセッサにより機能を提供するとき、単一の専用プロセッサにより、単一の共用プロセッサにより、または一部が共用される複数の個別のプロセッサにより提供することができる。さらに、「プロセッサ」または「コントローラ」という用語の明示的な使用は、もっぱらソフトフェアの実行が可能なハードウェアのみを指すと理解すべきではなく、限定はしないが、デジタルシグナルプロセッサ（「ＤＳＰ」）ハードウェア、ソフトウェア記憶用の読み取り専用メモリ（「ＲＯＭ」）、ランダムアクセスメモリ（「ＲＡＭ」）、および不揮発性記憶装置を暗に含むことができる。さらに、本発明の例および実施形態を列挙する本明細書における全ての記述は、構造上及び機能上の等価物の両方を包含することを意図している。加えて、このような等価物は、現在周知の等価物、並びに将来開発される等価物（即ち、構造に関わらず、同じ機能を実行する任意の開発された要素）の両方を含むことを意図している。
【０００９】
リモートコントロール装置上のハプティックフィードバックまたはタクタイルフィードバックによって、ユーザが制御装置ではなく視聴中のものに集中することができる。リモートコントロール装置は、従前の専用リモートコントロール、携帯電話などのモバイル装置、および／またはモバイルタブレット／コンピュータ等を含むことができるが、これらには制限されない。ハプティックスは、例えば、指先にブンブンと伝わる感覚などの、感覚の情報をユーザが受け取ることを可能にする。同様に、この情報は、指先を介した熱いおよび／または冷たい感覚をさらに含むことができる。誘発される痛覚および他の感覚もまた、ユーザに対するフィードバックの感覚を促進するために当業者により使用することができる。リモートコントロール装置は、ボタン領域に触れると滑らかな表面にハプティック型の「うなり（ｂｕｚｚ）」のフィードバックを与えることができる。即ち、ボタンは、選択される前に感覚型のフィードバックをユーザに与えることができる。あるいは、リモートコントロール装置は、ボタン領域を物理的に特定することを容易にするために、物理的なボタン、ギザギザまたは他の変形物を与えることができる。
【００１０】
図１に示す一例１００において、リモートコントロール装置１０４の表面１０２には、静電容量タッチボタンが組み込まれる。これは、ユーザ１０６がボタンに接触してそれらを見つけ、次いで個別の「クリック」動作を使用して作動させることができる。ハプティックフィードバックは、この手順において２回発生し得る。即ち、最初の接触についての１回、次いで「クリック」による選択についての１回である。例えば弱いうなりまたは穏やかなクリックのような最初の接触は、感触によりボタンを見つけるために使用することができる（即ち、感覚のフィードバック）。これはユーザ１０６にボタンが見つかったが作動していないことを単に示すに過ぎない。ボタンが押下されると、選択動作が個別の「クリック」となり、そして動作が行われる。
【００１１】
ボタンがユーザ１０６により「ホバリング」されると、画面上のアイコン／テキストインジケータ１０８をコンテンツ視聴装置１１０に表示することができる。ボタン（ハプティックまたはタクタイル）が接触されると、リモートコントロールシステムは、現在接触しているボタンの機能に関するアイコンおよび／またはテキストインジケータ１０８を提供する。これは、ユーザが焦点を視聴装置１１０から外して移動せずに、ボタンの機能を見つけることを可能にする。接触機能は、「選択」機能と区別される。上記ステップにより一旦ボタンが見つかると、ユーザ１０６は押下または選択により現在のオプションを選択することができる。個別のハプティックフィードバックまたはクリックは、例えば、選択を指示することができる。
【００１２】
図２は例２００を示し、ここでユーザ１０６は「ホーム」ボタン（およびその画面上のインジケータ１０８）に対するボタン上のホバリング／接触から「記録」ボタン上のホバリング／接触へ、その画面上インジケータ２０２により切り替えられている。プログラムを記録したいユーザは、次いでリモートコントロール装置１０４をクリックするかまたは押下するなど（２０４）して、視聴装置１１０上に指示された機能を実行する。このようにして、ユーザ１０６は視聴装置１１０への視覚的接触を保持することができ、１）どのボタンを選択しようとしているかを判断するか、および２）ボタンの機能を上手く選択したかどうかを判断するかのいずれかのために、リモートコントロール装置１０４へと注意をそらす必要はない。
【００１３】
多くの場合、リモートコントロール装置３０８は、プログラム可能ボタンを有することができる。このシステムの画面上の態様は、さらにプログラム可能なボタンを構成するために使用することができる。図３は、プログラム可能ボタン３０２の選択機能の例３００を示す。プログラム可能でないボタンの場合、視聴装置１１０上の画面上のアシスタントは、選択するための機能のメニュー３０４を提供する。次いで、ユーザは機能３０６を選択し、そしてボタンは後続の押下によってその機能３０６を実行するように構成される。ボタンを再構成するために、そのボタンを押下したままにしてオプション群を再度呼び出すことができる。
【００１４】
上記で示し、説明した例示の実施形態の観点から、本実施形態により実施することができる方法は、図４のフローチャートを参照してより良く理解することができる。説明を単純にするため、この方法は一連のブロックとして示し説明しているが、実施形態はブロックの順序によって制限されないことを理解し認識すべきである。なぜなら、一実施形態によれば、一部のブロックは、本明細書で示し、説明したブロックとは異なる順序で、および／または他のブロックと同時に生じ得るからである。さらに、実施形態による方法を実施するために全てのブロックが必要とは限らない場合がある。
【００１５】
図４は視聴体験を制御する方法４００のフロー図である。この方法は、視聴装置と通信しているリモートコントロール装置上のボタンと対話形式でやりとりすることにより開始し（４０２）、対話はボタンの選択の前に発生する（４０４）。対話は、ボタン上をホバリングすること、および／またはユーザがボタン等に軽く接触することを含むことができるが、これらには限定されない。対話は、まさに、ユーザが、ボタンの機能を呼び出すことなく、どのボタンに近いかを知ることができるようにする必要がある。これは、ボタンの形状、押し下げなどのあるタイプのハプティックフィードバックおよび／または他のタクタイルフィードバックを含むことができる。次いで、ボタンに関連する機能が視聴装置上に表示され（４０６）、フローが終了する（４０８）。別の例では、ボタンの機能が選択されると、ハプティックフィードバックをユーザに提供することもできる。このタイプのハプティックフィードバックは、ボタンと対話するために提供されるフィードバックとは別のタイプのものとすることができる。フィードバックのタイプが異なる場合、ユーザは機能が選択されているかどうかを容易に判断することができる。
【００１６】
さらに別の例において、上記の方法は、リモートコントロール装置上のプログラムされていないボタンに対して拡張することができる。このシナリオでは、ボタンが対話しているが事前にプログラムされていない場合、機能インジケータ（例えば、テキスト、アイコン、等）のリストが視聴装置に表示される。このリストは、例えば、停止、再生、巻き戻し、早送り、一時停止、ボリュームアップ、ボリュームダウン、チャンネルアップ、チャンネルダウンなどのような機能を含む。本明細書に開示される方法は、任意のタイプの機能に適用される。次いで、機能は、リモートコントロール装置または他の手段を介して選択することができる。これにより、その機能に対するボタンをプログラムする。
【００１７】
即ち、上記の技術は、ユーザがボタンを動かし、ボタンに接触し、リモートコントロール装置のボタンの割り当てられた機能を示すインジケータを視聴装置上に出現させるときに適用される。このようにして、リモートコントロール装置上でボタンが接触されると、アイコンおよび／またはテキストのプロンプトが視聴装置上に表示される。これは、ユーザがリモートコントロール装置上の特定のボタン領域に接触すると、視聴装置上のボタンのラベルを「見る（ｓｅｅ）」ことを可能にする。ボタン動作は、ユーザがボタンをクリックするまで実行されない。ボタンが現在プログラムされていなければ、ユーザはその時に機能を割り当てることができる。
【００１８】
リモートコントロール装置は、ボタンを区別するために接触されている特定の領域を検出する内部のプロセッサを有する単一のボタンがあるように構成することができる。ユーザが複数のボタン領域に接触すると、ユーザが所定の位置に指があることを感じる識別可能な振動を作成することができる。ユーザがボタンを押下すると、異なる「クリック」がフィードバックとして提供される。リモートコントロール装置の表面における物理的なくぼみまたは隆起は、接触のフィードバックおよび「選択」フィードバックのための物理的な切り替えの変わりに用いることができる。これは、ユーザが、リモートコントロール装置上のどこにいるのかを感触により検出することを可能にする。画面上の援助と共にボタンを「感じる」ためのハプティック接触を使用することにより、ユーザが、リモートコントロール装置自体に注意を移さずに、視聴装置に焦点を合わせ続けることができるようにする。
【００１９】
上記で説明したことは、実施形態の例を含む。もちろん、実施形態を説明するために考えられるあらゆる構成要素または方法の組み合わせを記述することは不可能であるが、当業者であれば、実施形態の多くのさらなる組み合わせや置き換えが可能であることを理解することができる。従って、本発明は、添付の請求項の意味及び範囲に含まれるそのような全ての代替、修正および変形形態を包含することが意図される。さらに、用語「含む（ｉｎｃｌｕｄｅｓ）」が詳細な説明または請求項のいずれかにおいて用いられる範囲で、そのような用語は、「備える（ｃｏｍｐｒｉｓｉｎｇ）」が請求項でつなぎの言葉として用いられるときに解釈されるように、「備える」と同様の方法で包括的であることが意図される。
【図１】
2015501588.tif 000003
【図２】
2015501588.tif 000004
【図３】
2015501588.tif 000005
【図４】
2015501588.tif 000006
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
視聴体験を制御するシステムであって、
前記視聴体験に関連する機能を選択する少なくとも１つのボタンを有するリモートコントロール装置を備え、前記リモートコントロール装置は、前記ボタンが選択される前に前記ボタンの機能をユーザに示すために前記ユーザにフィードバックを提供する、前記システム。
【請求項２】
前記リモートコントロール装置は、前記ボタンに対するハプティックフィードバックを前記ユーザに提供する、請求項１に記載のシステム。
【請求項３】
前記リモートコントロール装置は、視聴装置上の前記ボタンに関連する機能インジケータのフィードバックを提供する、請求項１に記載のシステム。
【請求項４】
前記リモートコントロール装置は、前記ボタンが選択されたときに別のフィードバックを提供する、請求項１に記載のシステム。
【請求項５】
前記リモートコントロール装置は、前記ボタンがプログラムされていないときに視聴装置上の前記ボタンに対する多数の機能インジケータを提供する、請求項１に記載のシステム。
【請求項６】
視聴体験を制御する方法であって、
視聴装置と通信中であるリモートコントロール装置上のボタンと対話するステップであって、前記対話は、前記ボタンの選択の前に発生する、ステップと、
前記視聴装置上の前記ボタンに関連する機能を表示するステップと、
を含む、前記方法。
【請求項７】
前記ボタンと対話するとき、ユーザにハプティックフィードバックを提供するステップを更に含む、請求項６に記載の方法。
【請求項８】
前記ボタンが事前にプログラムされていないとき、機能インジケータのリストを前記視聴装置上に表示するステップを更に含む、請求項６に記載の方法。
【請求項９】
前記視聴装置上の機能インジケータのリストから選択するように前記リモートコントロール装置を用いて前記ボタンの前記機能をプログラムするステップを更に含む、請求項８に記載の方法。
【請求項１０】
前記リモートコントロール装置を用いて前記ボタンに関連する前記機能を選択するステップと、
前記機能が選択されたことを示すハプティックフィードバックを前記ユーザに提供するステップと、
を更に含む、請求項６に記載の方法。
【請求項１１】
広告の統計を収集するシステムであって、
視聴装置と通信中のリモートコントロール装置上のボタンと対話する手段であって、前記対話は前記ボタンの選択の前に発生する、手段と、
前記視聴装置上のボタンに関連する機能を表示する手段と、
を含む、前記システム。
【請求項１２】
前記リモートコントロール装置を用いて前記ボタンに関連する前記機能を選択する手段と、
前記機能が選択されたことを示すハプティックフィードバックをユーザに提供する手段と、
を含む、請求項１１に記載のシステム。
【手続補正２】
【補正対象書類名】明細書
【補正対象項目名】００１９
【補正方法】変更
【補正の内容】
【００１９】
上記で説明したことは、実施形態の例を含む。もちろん、実施形態を説明するために考えられるあらゆる構成要素または方法の組み合わせを記述することは不可能であるが、当業者であれば、実施形態の多くのさらなる組み合わせや置き換えが可能であることを理解することができる。従って、本発明は、添付の請求項の意味及び範囲に含まれるそのような全ての代替、修正および変形形態を包含することが意図される。さらに、用語「含む（ｉｎｃｌｕｄｅｓ）」が詳細な説明または請求項のいずれかにおいて用いられる範囲で、そのような用語は、「備える（ｃｏｍｐｒｉｓｉｎｇ）」が請求項でつなぎの言葉として用いられるときに解釈されるように、「備える」と同様の方法で包括的であることが意図される。
本発明は以下の態様を含む。
（付記１）
視聴体験を制御するシステムであって、
前記視聴体験に関連する機能を選択する少なくとも１つのボタンを有するリモートコントロール装置を備え、前記リモートコントロール装置は、前記ボタンが選択される前に前記ボタンの機能をユーザに示すために前記ユーザにフィードバックを提供する、前記システム。
（付記２）
前記リモートコントロール装置は、前記ボタンに対するハプティックフィードバックを前記ユーザに提供する、付記１に記載のシステム。
（付記３）
前記リモートコントロールは、視聴装置上の前記ボタンに関連する機能インジケータのフィードバックを提供する、付記１に記載のシステム。
（付記４）
前記リモートコントロール装置は、前記ボタンが選択されたときに別のフィードバックを提供する、付記１に記載のシステム。
（付記５）
前記リモートコントロール装置は、前記ボタンがプログラムされていないときに視聴装置上の前記ボタンに対する多数の機能インジケータを提供する、付記１に記載のシステム。
（付記６）
視聴体験を制御する方法であって、
視聴装置と通信中であるリモートコントロール装置上のボタンと対話するステップであって、前記対話は、前記ボタンの選択の前に発生する、ステップと、
前記視聴装置上の前記ボタンに関連する機能を表示するステップと、
を含む、前記方法。
（付記７）
前記ボタンと対話するとき、ユーザにハプティックフィードバックを提供するステップを更に含む、付記６に記載の方法。
（付記８）
前記ボタンが事前にプログラムされていないとき、機能インジケータのリストを前記視聴装置上に表示するステップを更に含む、付記６に記載の方法。
（付記９）
前記視聴装置上の機能インジケータのリストから選択するように前記リモートコントロール装置を用いて前記ボタンの前記機能をプログラムするステップを更に含む、付記８に記載の方法。
（付記１０）
前記リモートコントロール装置を用いて前記ボタンに関連する前記機能を選択するステップと、
前記機能が選択されたことを示すハプティックフィードバックを前記ユーザに提供するステップと、
を更に含む、付記６に記載の方法。
（付記１１）
広告の統計を収集するシステムであって、
視聴装置と通信中のリモートコントロール装置上のボタンと対話する手段であって、前記対話は前記ボタンの選択の前に発生する、手段と、
前記視聴装置上のボタンに関連する機能を表示する手段と、
を含む、前記システム。
（付記１２）
前記リモートコントロール装置を用いて前記ボタンに関連する前記機能を選択する手段と、
前記機能が選択されたことを示すハプティックフィードバックをユーザに提供する手段と、
を含む、付記１１に記載のシステム。
【国際調査報告】
2015501588.tif 000007
2015501588.tif 000008